(57)【要約】      （修正有）【課題】機能が異なる複数の空気清浄フィルターを付け替えられることができる除湿装置を提供することを目的とする。【解決手段】本発明の除湿装置は、吸込口２と吹出口３を有する本体ケースと、本体ケース内に設けた除湿部４と、除湿部４に吸込口２から吸い込んだ空気を送風する送風部５と、送風部５の風量を制御する制御部６とを備え、吸込口２には、第１の機能を有する第１のフィルター部、または第２の機能を有する第２のフィルター部が着脱自在であり、本体ケースには、吸込口２に第１のフィルター部または第２のフィルター部のどちらが装着されかを判別する判別部９を有し、制御部６は、判別部９の判別結果に基づいて、それぞれの所定の風量を除湿部４に送風するように送風部５を制御する。【選択図】図２
2019060583.tif 000002
【特許請求の範囲】
【請求項１】
吸込口と吹出口を有する本体ケースと、
前記本体ケース内に設けた除湿部と、
前記除湿部に前記吸込口から吸い込んだ空気を送風する送風部と、
前記送風部の風量を制御する制御部とを備え、
前記吸込口には、第１の機能を有する第１のフィルター部、または第２の機能を有する第２のフィルター部が着脱自在であり、
前記本体ケースには、前記吸込口に前記第１のフィルター部または前記第２のフィルター部のどちらが装着されかを判別する判別部を有し、
前記制御部は、前記判別部の判別結果に基づいて、それぞれの所定の風量を前記除湿部に送風するように前記送風部を制御することを特徴とする除湿装置。
【請求項２】
前記第１のフィルター部の前記第１の機能は、埃を捕集する機能であり、
前記第２のフィルター部の前記第２の機能は、前記第１の機能より細かい埃を捕集する機能であることを特徴とする請求項１に記載の除湿装置。
【請求項３】
前記判別部が前記吸込口に前記第１のフィルター部が装着されたと判別した場合に、前記制御部が前記送風部によって前記除湿部に送風する第１の所定の風量は、
前記判別部が前記吸込口に前記第２のフィルター部が装着されたと判別した場合に、前記制御部が前記送風部によって前記除湿部に送風する第２の所定の風量と、実質的に同じであることを特徴とする請求項１または２に記載の除湿装置。
【請求項４】
前記判別部は、前記本体ケース内に設けたスイッチ部分を有し、
前記第２のフィルター部は、前記吸込口に装着する際の装着方向に突出した突出部分を有し、
前記突出部分は、前記スイッチ部分に対向し、
前記吸込口に前記第２のフィルター部を装着した場合には、前記第２のフィルター部の前記突出部分によって前記スイッチ部分が押され、前記判別部は前記吸込口に前記第２のフィルター部が装着されたと判断し、
前記吸込口に前記第１のフィルター部を装着した場合には、前記判別部の前記スイッチ部分は押されず、前記判別部は前記吸込口に前記第１のフィルター部が装着されたと判断することを特徴とする請求項１から３のいずれかに記載の除湿装置。
【発明の詳細な説明】
【技術分野】
【０００１】
本発明は、除湿装置に関するものである。
【背景技術】
【０００２】
吸込口と吹出口を有する本体ケース内には、冷凍サイクルと、送風手段を有している。冷凍サイクルは、圧縮機、放熱器、膨張器、吸熱器を順次環状に連結し、冷媒が循環する。圧縮機と、送風手段とは、制御部によって制御される。送風路は、送風手段によって、吸込口から空気を吸引し、プレフィルター、空気清浄フィルター、吸熱器、放熱器の順に供給して、吹出口から排出する。（たとえば、特許文献１参照）。
【先行技術文献】
【特許文献】
【０００３】
【特許文献１】特開２００４−２１１９１４号公報
【発明の概要】
【発明が解決しようとする課題】
【０００４】
このような従来の空気清浄機能付き除湿装置においては、例えば、一年中、花粉を捕集できる高性能な空気清浄フィルターで空気清浄しながら、除湿運転を行っていた。つまり、花粉の少ない時期にも、花粉を捕集できる高性能な空気清浄フィルターで空気清浄しながら、除湿運転をするという状態である。
【０００５】
本発明は、このような従来の課題を解決するものであり、機能が異なる複数の空気清浄フィルターを付け替えられることができる除湿装置を提供することを目的とする。
【課題を解決するための手段】
【０００６】
そして、この目的を達成するために、本発明の一態様に係る除湿装置は、吸込口と吹出口を有する本体ケースと、前記本体ケース内に設けた除湿部と、前記除湿部に前記吸込口から吸い込んだ空気を送風する送風部と、前記送風部の風量を制御する制御部とを備え、前記吸込口には、第１の機能を有する第１のフィルター部、または第２の機能を有する第２のフィルター部が着脱自在であり、前記本体ケースには、前記吸込口に前記第１のフィルター部または前記第２のフィルター部のどちらが装着されかを判別する判別部を有し、前記制御部は、前記判別部の判別結果に基づいて、それぞれの所定の風量を前記除湿部に送風するように前記送風部を制御することを特徴とするものであり、これにより所期の目的を達成するものである。
【発明の効果】
【０００７】
本発明によれば、吸込口には２種類のフィルター部を付け替えることができるので、空気清浄において２種類の機能を使い分けながら除湿運転をすることができる除湿装置を提供できる。
【図面の簡単な説明】
【０００８】
【図１】本発明の実施の形態の第１のフィルター部を装着した除湿装置の斜視図
【図２】同除湿装置の断面図
【図３】同除湿装置の第２のフィルター部を装着した斜視図
【図４】同除湿装置の第２フィルター部の斜視図
【図５】同除湿装置の第２のフィルター部を外した状態の斜視図
【発明を実施するための形態】
【０００９】
本発明の一態様に係る除湿装置は、吸込口と吹出口を有する本体ケースと、前記本体ケース内に設けた除湿部と、前記除湿部に前記吸込口から吸い込んだ空気を送風する送風部と、前記送風部の風量を制御する制御部とを備え、前記吸込口には、第１の機能を有する第１のフィルター部、または第２の機能を有する第２のフィルター部が着脱自在であり、前記本体ケースには、前記吸込口に前記第１のフィルター部または前記第２のフィルター部のどちらが装着されかを判別する判別部を有し、前記制御部は、前記判別部の判別結果に基づいて、それぞれの所定の風量を前記除湿部に送風するように前記送風部を制御する構成を有する。
【００１０】
これにより、第１のフィルター部、または第２のフィルター部を選択することで、２種類の機能を使い分けながら除湿運転をすることができるという効果を奏する。
【００１１】
また、前記第１のフィルター部の前記第１の機能は、埃を捕集する機能であり、前記第２のフィルター部の前記第２の機能は、前記第１の機能より細かい埃を捕集する機能がある構成を有する。
【００１２】
これにより、２種類の機能である、第１の機能である埃を捕集する機能と、第２の機能である第１の機能より細かい埃を捕集する機能とを、使い分けながら除湿運転をすることができるという効果を奏する。
【００１３】
また、前記判別部が前記吸込口に前記第１のフィルター部が装着されたと判別した場合に、前記制御部が前記送風部によって前記除湿部に送風する第１の所定の風量は、前記判別部が前記吸込口に前記第２のフィルター部が装着されたと判別した場合に、前記制御部が前記送風部によって前記除湿部に送風する第２の所定の風量と、実質的に同じである構成を有する。
【００１４】
これにより、第１の所定の風量と第２の所定の風量を実質的に同じに維持することで、除湿能力の低下を防止できるという効果を奏する。
【００１５】
また、前記判別部は、前記本体ケース内に設けたスイッチ部分を有し、前記第２のフィルター部は、前記吸込口に装着する際に装着方向に移動する突出部分を有し、前記吸込口に前記第２のフィルター部を装着した場合には、前記第２のフィルター部の前記突出部分によって前記スイッチ部分が押され、前記判別部は前記吸込口に前記第２のフィルター部が装着されたと判断し、前記吸込口に前記第１のフィルター部を装着した場合には、前記判別部の前記スイッチ部分は押されず、前記判別部は前記吸込口に前記第１のフィルター部が装着されたと判断する構成を有する。
【００１６】
これにより、自動的に最適な所定風量に維持できるので、基本性能である除湿能力の低下を防止できると共に除湿機能と空清機能を最適な設定で使用できるという効果を奏する。
【００１７】
以下、本発明の実施例について図面を参照しながら説明する。
【００１８】
（実施の形態）
図１は、本発明の実施の形態の第１のフィルター部を装着した除湿装置の斜視図である。図２は、本発明の実施の形態の除湿装置の断面図である。図１、図２に示すように、本発明の実施の形態の除湿装置は、吸込口２と吹出口３を有する本体ケース１と、本体ケース１内に設けた除湿部４と、送風部５と、制御部６とを備えている。吸込口２は、本体ケース１における背面に配置され、吹出口３は、本体ケース１における天面の前面側に配置されている。
【００１９】
除湿部４は、圧縮機１０と放熱器１１と膨張器１２と吸熱器１３とを順に連結した冷凍サイクルと、顕熱交換タイプの熱交換器１４とを備えている。
【００２０】
本体ケース１内の吸込口２から吹出口３への空気通路における吸込口２側（空気の流れ方向上流側）に吸熱器１３を設け、吹出口３側（空気の流れ方向下流側）に放熱器１１を設けている。吸熱器１３と放熱器１１の間には空間を設け、この空間に顕熱交換タイプの熱交換器１４を配している。熱交換器１４は、水平方向に延びた第１通路１４ａと、上面から下面へ連通する第２通路１４ｂとを有している。
【００２１】
本体ケース１内には、第１除湿経路１５と、第２除湿経路１６とを有している。
【００２２】
第１除湿経路１５は、吸込口２から吸い込んだ空気の一部分を、吸熱器１３、熱交換器１４における第１通路１４ａ、放熱器１１を介して吹出口３へ連通する風路である。第２除湿経路１６は、吸込口２から吸い込んだ空気の一部分を、熱交換器１４における第２通路１４ｂ、放熱器１１を介して吹出口３へ連通する風路である。
【００２３】
送風部５は、第１除湿経路１５および第２除湿経路１６における、放熱器１１と吹出口３との間に配置されている。送風部５によって、吸込口２から吸い込んだ空気は、第１除湿経路１５または第２除湿経路１６を介して、吹出口３から本体ケース１外へ送風される。
【００２４】
熱交換器１４の横向きの第１通路１４ａと、縦向きの第２通路１４ｂが交差する構成となっているので、第１通路１４ａを流れる空気と、第２通路１４ｂを流れる空気とは、熱交換を行うことが可能となっている。ここで熱交換器１４の横向きの第１通路１４ａを流れる空気は、吸熱器１３を通過することにより冷却されている。したがって、第１通路１４ａを流れる空気は、熱交換器１４による熱交換作用により、吸熱器１３を通過していない第２通路１４ｂを流れる空気の温度を低下させることができる。
【００２５】
熱交換器１４は、第１除湿経路内開口部１７と第２除湿経路内開口部１８とを備えている。
【００２６】
第１除湿経路内開口部１７は、吸熱器１３側の上流側開口部１７ａと、放熱器１１側の下流側開口部１７ｂとより成る。第１除湿経路内開口部１７は、第１除湿経路１５内に設けられ、上流側にて熱交換器１４と吸熱器１３とを、下流側にて熱交換器１４と放熱器１１とを連結する。
【００２７】
第２除湿経路内開口部１８は、上面側の上流側開口部１８ａと、集水手段１９ａ側（鉛直下向き方向）の下流側開口部１８ｂとより成る。第２除湿経路内開口部１８は、第２除湿経路１６内に設けられ、上流側にて吸込口２と熱交換器１４とを、下流側にて熱交換器１４と放熱器１１の下部とを連結する。
【００２８】
集水手段１９ａは漏斗状であり、吸熱器１３及び熱交換器１４の下方に設けている。
【００２９】
さらに、集水手段１９ａの下方には集水タンク１９ｂを、本体ケース１に対して着脱自在に配置している。吸熱器１３、熱交換器１４部分で結露をさせ、その結露水を漏斗状の集水手段１９ａで集めて集水タンク１９ｂに流入させるようにしている。
【００３０】
図３は、本発明の実施の形態の除湿装置の第２のフィルター部を装着した斜視図である。図１、図３に示すように、本実施形態における特徴は、吸込口２には、第１の機能を有する第１のフィルター部７、または第２の機能を有する第２のフィルター部８が着脱自在な点である。第１のフィルター部７の第１の機能は、埃を捕集する機能であり、大きなサイズのゴミをとるプレフィルターの役割を果たす。第２のフィルター部８の第２の機能は、第１の機能より細かい埃を捕集する機能であり、一例としては、花粉を捕集できる空気清浄フィルターである。これにより、時期に応じて、２種類の機能である、第１の機能である埃を捕集する機能と、第２の機能である第１の機能より細かい埃を捕集する機能とを、使い分けながら除湿運転をすることができる。
【００３１】
第１のフィルター部７と第２のフィルター部８は、本体ケース１の外方から吸込口２に着脱自在である。第２のフィルター部８は、第１のフィルター部７より細かい埃を捕集する。これにより、第２のフィルター部８は、第１のフィルター部７より背面より外方へ突出する寸法が大きくなる。一方、第１のフィルター部７は、第２のフィルター部８に比べて厚みが小さいので、第１のフィルター部７は、第２のフィルター部８に比べて、背面より外方へ突出する寸法が小さい。一例としては、第１のフィルター部７は、本体ケース１の背面と面一となる。
【００３２】
これにより、花粉の多い時期には、吸込口２に花粉を捕集できる第２のフィルター部８を装着して除湿運転を行うと、本体ケース１の背面からの出っ張りが大きいが、花粉を捕集しながら除湿運転ができる。一方、花粉の少ない時期には、吸込口２に大きなサイズのゴミを捕集できる第１のフィルター部７を装着して除湿運転を行うと、本体ケース１の背面からの出っ張りが小さいので、使用感が向上する。
【００３３】
図２に示すように、本体ケース１には、吸込口２に第１のフィルター部７または第２のフィルター部８のどちらが装着されかを判別する判別部９を有し、制御部６は、判別部９の判別結果に基づいて、それぞれの所定の風量を除湿部４に送風するように送風部５を制御している。
【００３４】
図４は、本発明の実施の形態の除湿装置の第２フィルター部の斜視図である。図５は、本発明の実施の形態の除湿装置除湿装置の第２のフィルター部を外した状態の斜視図である。
【００３５】
判別部９の動作について説明する。図４、図５に示すように、判別部９は、本体ケース１内に設けたスイッチ部分２０を有している。
【００３６】
第２のフィルター部８は、四角板形状の第２のフィルター部分８ａと、内部に第２のフィルター部分８ａを着脱できる額縁形状の第２のフィルター枠部分８ｂとを有している。第２のフィルター枠部分８ｂの下部には、第２のフィルター部８を吸込口２に装着する際の装着方向に突出した突出部分２１を有している。突出部分２１は、スイッチ部分２０に対向している。これにより、吸込口２に第２のフィルター部８を装着した場合には、第２のフィルター部８の突出部分２１によってスイッチ部分２０が押され、判別部９は吸込口２に第２のフィルター部８が装着されたと判断し、制御部６が送風部５によって除湿部４に送風する第２の所定の風量Ｂに制御する。
【００３７】
一方、第１のフィルター部７は、スイッチ部分２０に対向し、第１のフィルター部７を吸込口２に装着する際の装着方向に突出した部分を有していない。これにより、吸込口２に第１のフィルター部７を装着した場合には、判別部９のスイッチ部分２０は押されず、判別部９は吸込口２に第１のフィルター部７が装着されたと判断し、制御部６が送風部５によって除湿部４に送風する第１の所定の風量Ａに制御する。
【００３８】
また、制御部６は、第１の所定の風量Ａと第２の所定の風量Ｂを実質的に同じ風量に制御することで、基本性能である除湿能力の低下を防止することができる。ここで、花粉の多い時期には、吸込口２に花粉を捕集できる第２のフィルター部８を装着して除湿運転を行い、花粉の少ない時期には、吸込口２に大きなサイズのゴミを捕集できる第１のフィルター部７を装着して除湿運転を行うと、消費電量を低減できる。なお、第２の所定の風量Ｂが、第１の所定の風量Ａに対して、プラスマイナス１０％以内の風量であれば、実質的に同じ風量である。
【００３９】
また、実施例では除湿部４を吸熱器１３と放熱器１１の間には空間を設け、この空間に顕熱交換タイプの熱交換器１４を設けた冷凍サイクルで説明したが、デシカント方式や単純なコンプレッサー方式等の除湿方式でも方式に関係なく同様の効果を得られる。
【産業上の利用可能性】
【００４０】
本発明にかかる除湿装置は、２種類のフィルター部を付け替えることができるので、空気清浄において２種類の機能を使い分けながら除湿運転をすることができる極めて有用なものである。
【符号の説明】
【００４１】
１    本体ケース
２    吸込口
３    吹出口
４    除湿部
５    送風部
６    制御部
７    第１のフィルター部
８    第２のフィルター部
８ａ    第２のフィルター部分
８ｂ    第２のフィルター枠部分
９    判別部
１０    圧縮機
１１    放熱器
１２    膨張器
１３    吸熱器
１４    熱交換器
１４ａ    第１通路
１４ｂ    第２通路
１５    第１除湿経路
１６    第２除湿経路
１７    第１除湿経路内開口部
１８    第２除湿経路内開口部
１７ａ    上流側開口部
１７ｂ    下流側開口部
１８ａ    上流側開口部
１９ａ    集水手段
１８ｂ    下流側開口部
１９ｂ    集水タンク
２０    スイッチ部分
２１    突出部分
【図１】
2019060583.tif 000003
【図２】
2019060583.tif 000004
【図３】
2019060583.tif 000005
【図４】
2019060583.tif 000006
【図５】
2019060583.tif 000007